(57)【要約】      （修正有）【課題】ユーザの入力時の煩わしさを軽減する検査報告書生成装置を提供する。【解決手段】検査報告書を生成する装置は、検査報告書に関する入力をユーザから受信し且つ現在入力されている検査報告書のコンテンツを表示する報告書入力ユニットと、表示された検査報告書のコンテンツから１つ以上のコンテキスト特徴をリアルタイムで識別するコンテキスト特徴識別ユニットと、識別済みコンテキスト特徴のうち１つ以上のコンテキスト特徴に基づいて、被検体の検査データを処理する処理ユニットと、特定ユーザ入力の検出に応じて、処理ユニットにより処理された検査データの、ユーザにより選択されるべき、項目のリストを報告書入力ユニットに表示させ且つユーザによりリスト中の１つの項目が選択された場合に選択された項目に対応する処理済み検査データを検査報告書に挿入するように構成された入力補助ユニットと、を備える。【選択図】図３
2014016990.tif 000002
【特許請求の範囲】
【請求項１】
検査報告書を生成する装置であって、
１種類以上の検査を受けた被検体に関連する検査報告書に関する入力をユーザから受信し且つ現在入力されている前記検査報告書のコンテンツを表示する報告書入力ユニットと、
前記現在入力されている検査報告書の表示されたコンテンツから１つ以上のコンテキスト特徴をリアルタイムで識別するコンテキスト特徴識別ユニットと、
識別済みコンテキスト特徴のうち１つ以上のコンテキスト特徴に基づいて、前記被検体が受けた前記１種類以上の検査の結果、取得された前記被検体の検査データを処理する処理ユニットと、
特定ユーザ入力の検出に応じて、前記処理ユニットにより処理された前記検査データの、ユーザにより選択されるべき、項目のリストを前記報告書入力ユニットに表示させ且つユーザによりリスト中の１つの項目が選択された場合に選択された項目に対応する処理済みデータを前記検査報告書に挿入するように構成された入力補助ユニットと、
を備えることを特徴とする装置。
【請求項２】
前記検査データを提供するデバイスを更に備えることを特徴とする請求項１に記載の装置。
【請求項３】
前記検査データは、前記１種類以上の検査の結果により取得された１つ以上の画像からの所見及び測定結果、またはいずれか一方を含むことを特徴とする請求項１に記載の装置。
【請求項４】
前記コンテキスト特徴は、
前記被検体の領域又は部分に関連するキーワード、及び
言語特徴又は意味特徴の部分に基づいて選択される単語又は語句の集合、
またはいずれか一方を含むことを特徴とする請求項１に記載の装置。
【請求項５】
前記検査データの処理は、
前記検査データの前記項目を並べ替え又はフィルタリングすること、
前記検査データに含まれる種々の種類の数値を計算し又は変換することを含むことを特徴とする請求項１に記載の装置。
【請求項６】
前記処理ユニットは、
前記検査データの前記項目を分類する分類ユニットと、
前記分類ユニットからの分類結果を参照して前記検査データの各項目を前記識別済みコンテキスト特徴のうち１つ以上のコンテキスト特徴とマッチングし、マッチング結果に基づいて前記検査データの前記項目を並べ替え又はフィルタリングするコンテキストマッチングユニットと
を更に備えることを特徴とする請求項１に記載の装置。
【請求項７】
前記分類ユニットは、前記１種類以上の検査の属性、前記被検体の属性及び前記１種類以上の検査からの所見及び測定結果の属性のうち１つ以上に基づいて前記検査データの前記項目を分類し、
前記分類することは、前記検査データの１つの項目に１つ以上のタグを適用することを含むことを特徴とする請求項６に記載の装置。
【請求項８】
前記処理ユニットは、
前記識別済みコンテキスト特徴のうち１つ以上のコンテキスト特徴に基づいて、前記検査データの１つの項目に対して１つ以上のテキスト表現を処理済み検査データとして生成するテキスト表現生成ユニット
を更に備えることを特徴とする請求項１に記載の装置。
【請求項９】
前記テキスト表現は所定の構文規則に従って生成されることを特徴とする請求項８に記載の装置。
【請求項１０】
前記識別済みコンテキスト特徴のうち前記１つ以上のコンテキスト特徴は、最も近い時点で識別されたコンテキスト特徴であることを特徴とする請求項１、６及び８のいずれか１項に記載の装置。
【請求項１１】
前記入力補助ユニットは、前記処理済み検査データのリスト項目ごとに前記報告書入力ユニットにサムネイルを更に表示させることを特徴とする請求項１に記載の装置。
【請求項１２】
前記特定ユーザ入力の検出はユーザにより設定可能であることを特徴とする請求項１に記載の装置。
【請求項１３】
現在のユーザ入力がコンテキスト特徴として識別されるか又は１つの識別済みコンテキスト特徴と一致した場合に前記特定ユーザ入力が検出されたと判定されることを特徴とする請求項１に記載の装置。
【請求項１４】
前記被検体は患者であり、前記検査報告書は前記患者に関する医療報告書であり且つ前記検査は画像を抽出できるような前記患者に対する検査であることを特徴とする請求項１に記載の装置。
【請求項１５】
前記被検体の領域に関連するキーワードは患者の身体領域に関連するキーワードであり、前記被検体の部分に関連するキーワードは患者の解剖学的構造又は病理学的構造に関連するキーワードであることを特徴とする請求項４に記載の装置。
【請求項１６】
前記項目のリストに従って前記画像に関する所見及び測定結果、またはいずれか一方を選択的に強調表示するハイライトユニット
を更に備えることを特徴とする請求項３に記載の装置。
【請求項１７】
前記報告書入力ユニットに動作可能に接続され且つ１つ以上のディスプレイに動作可能に接続可能であるビデオインタフェースを更に備え、
前記１つ以上のディスプレイのうち第１のディスプレイは、前記現在入力されている検査報告書のコンテンツを表示するために利用可能であり、且つ前記１つ以上のディスプレイのうち第２のディスプレイは、前記１つ以上の画像と、それらの画像からの所見及び測定結果またはいずれか一方とを表示するために利用可能であることを特徴とする請求項３に記載の装置。
【請求項１８】
検査報告書を生成する装置であって、
プロセッサに動作可能に接続され、１種類以上の検査を受けた被検体に関連する検査報告書に関する入力をユーザから受信する入力ユニットと、
前記プロセッサに接続され、現在入力されている前記検査報告書のコンテンツを表示する表示ユニットと
を備え、前記プロセッサは、
前記現在入力されている検査報告書の表示されたコンテンツから１つ以上のコンテキスト特徴をリアルタイムで識別するコンテキスト特徴識別ユニットと、
識別済みコンテキスト特徴に基づいて、前記被検体が受けた前記１種類以上の検査の結果取得された前記被検体の検査データを処理するように構成された処理ユニットと、
特定ユーザ入力の検出に応じて、前記処理ユニットにより処理された前記検査データの、前記ユーザにより選択されるべき、項目のリストを前記表示ユニットに表示させ且つユーザによりリスト中の１つの項目が選択された場合に選択された項目に対応する処理済み検査データを前記検査報告書に挿入するように構成された入力補助ユニットと
を備えることを特徴とする装置。
【請求項１９】
前記表示ユニットは、
前記プロセッサに動作可能に接続され且つ１つ以上のディスプレイに動作可能に接続可能であるビデオインタフェースを更に備え、
前記検査データは、前記１種類以上の検査の結果取得された１つ以上の画像からの所見及び測定結果、またはいずれか一方を含み、
前記１つ以上のディスプレイのうち第１のディスプレイは、前記現在入力されている検査報告書のコンテンツを表示するように構成され、且つ前記１つ以上のディスプレイのうち第２のディスプレイは、前記１つ以上の画像と、それらの画像からの前記所見及び測定結果またはいずれか一方とを表示するように構成されることを特徴とする請求項１８に記載の装置。
【請求項２０】
検査報告書を生成する方法であって、
１種類以上の検査を受けた被検体に関連する検査報告書に関する入力をユーザから受信し且つ現在入力されている検査報告書のコンテンツを表示する工程と、
前記現在入力されている検査報告書の表示されたコンテンツから１つ以上のコンテキスト特徴をリアルタイムで識別する工程と、
識別済みコンテキスト特徴のうち１つ以上のコンテキスト特徴に基づいて、前記被検体が受けた前記１種類以上の検査の結果取得された前記被検体の検査データを処理する工程と、
特定ユーザ入力の検出に応じて、処理済み検査データのユーザにより選択されるべき項目のリストを表示する工程と、
ユーザによりリスト中の１つの項目が選択された場合、選択された項目に対応する処理済み検査データを前記検査報告書に挿入する工程と
を有することを特徴とする方法。
【請求項２１】
検査デバイスから前記検査データを提供する工程を更に有することを特徴とする請求項２０に記載の方法。
【請求項２２】
前記検査データは、前記１種類以上の検査の結果により取得された１つ以上の画像からの所見及び測定結果、またはいずれか一方を含むことを特徴とする請求項２０に記載の方法。
【請求項２３】
前記コンテキスト特徴は、
前記被検体の領域又は部分に関連するキーワード、及び
言語特徴又は意味特徴の部分に従って選択される単語又は語句の集合、
またはいずれか一方を含むことを特徴とする請求項２０に記載の方法。
【請求項２４】
前記検査データを処理する工程は、
前記検査データの前記項目を並べ替え又はフィルタリングする工程と、
前記検査データに含まれる種々の種類の数値を計算し又は変換する工程と、を含むことを特徴とする請求項２０に記載の方法。
【請求項２５】
前記検査データを処理する工程は、
前記検査データの前記項目を分類する工程と、
前記分類の分類結果に基づいて、前記検査データの各項目を前記識別済みコンテキスト特徴のうち１つ以上のコンテキスト特徴とマッチングする工程と、
マッチング結果に基づいて、前記検査データの前記項目を並べ替え又はフィルタリングする工程と
を含むことを特徴とする請求項２０に記載の方法。
【請求項２６】
前記検査データを処理する工程は、
前記識別済みコンテキスト特徴のうち１つ以上のコンテキスト特徴に基づいて、前記検査データの１つの項目に関する１つ以上のテキスト表現を前記処理済み検査データとして生成する工程
を含むことを特徴とする請求項２０に記載の方法。
【請求項２７】
前記識別済みコンテキスト特徴のうち前記１つ以上のコンテキスト特徴は、最も近い時点で識別されたコンテキスト特徴であることを特徴とする請求項２０、２５及び２６のいずれか１項に記載の方法。
【発明の詳細な説明】
【技術分野】
【０００１】
本発明は、検査報告書を生成する装置及び方法に関する。
【背景技術】
【０００２】
検査を受けた被検体に関する検査報告書を作成する場合、例えば検査の結果取得された所見、測定結果又は診断を診断報告書の中に詳細に記載する必要がある。一例として、検査、例えばガンマ線検査、Ｘ線検査、コンピュータ断層撮影（ＣＴ）のような放射線検査及び磁気共鳴撮影（ＭＲＩ）、タイプＢ超音波輝度検査モード、デジタル減算血管造影撮影（ＤＳＡ）、心電図（ＥＣＧ）などの検査を受けた被検体（製品、患者など）に関する検査報告書（診断報告書など）をユーザ（操作者、医師など）がコンピュータシステムを介して入力する場合、ユーザは、所見又は測定結果、更には診断結果を検査報告書の中にテキストとして詳細に記載しなければならない。
【０００３】
一般に、検査の結果、１つ以上の所望の画像又はビデオデータが取得される。ユーザ（例えば、操作者、医師）は、画面に表示される画像に種々のマーク、標識などを付けるか、あるいは画像の特徴に対して種々の測定を手動操作により又は自動的に実行する。測定結果は、例えば幾何学的属性（長さ、角度、面積及び体積など）並びに医学的知識特有の属性（例えば、心胸郭比）を含む。ユーザが画像所見を詳細に記載する場合、所見ごとの数値を含む測定結果が記載されなければならない。従来、測定結果は、医師により手動操作で入力されていた。
【０００４】
検査報告書を自動的に生成するいくつかの方法及び装置が提案されている。米国特許出願公開第２００９／０１０６０４７号明細書（特許文献１）では、検査報告書を手動操作で入力する必要がない医療検査報告書作成方法が提供される。この方法によれば、選択された表示コンテキストに対応する診断データが取り込まれ、その後、自動的に報告書コンテキストに変換される。
【発明の概要】
【発明が解決しようとする課題】
【０００５】
しかし、生理病理学及び疾患の説明は多岐にわたり且つ複雑であるので、この方法でも、広く使用することは不可能であり、多くの病院及び臨床医は、手動操作によりテキストの形で報告書を入力するほうを好むと考えられる。特許文献１の開示内容は、手動操作で検査報告書を入力する場合に起こる以下のような問題を解決できない。
【０００６】
−ユーザ（例えば、操作者、医師など）は、検査画像を表示するために１つのユーザインタフェース（例えば、コンピュータシステムの１つの表示画面）で特定の所見を発見し、場所を特定し且つ／又は測定を実行しつつ、別のユーザインタフェース（例えば、別の表示画面）を介してテキスト説明を書き込むか又は入力しなければならず、テキスト報告書を書き込んでいるときにも元の表示画面を参照しなければならない。これは不便且つ不都合である。
【０００７】
−ユーザは、説明を記載する目的で数値を計算し且つ適切な語句を考えなければならない。
【０００８】
−手動操作による入力には誤りが起こる。
【０００９】
上記の問題の少なくとも一部に対処するために、本発明は提案された。
【課題を解決するための手段】
【００１０】
本発明の一実施形態によれば、検査報告書を生成する装置であって、１種類以上の検査を受けた被検体に関連する検査報告書に関する入力をユーザから受信し且つ現在入力されている検査報告書のコンテンツを表示する報告書入力ユニットと、現在入力されている検査報告書の表示されたコンテンツから１つ以上のコンテキスト特徴をリアルタイムで識別するコンテキスト特徴識別ユニットと、識別済みコンテキスト特徴のうち１つ以上のコンテキスト特徴に基づいて、被検体が受けた１種類以上の検査の結果取得された被検体に関する検査データを処理する処理ユニットと、特定ユーザ入力の検出に応じて、処理ユニットにより処理された検査データの、ユーザにより選択されるべき、項目のリストを報告書入力ユニットに表示させ且つユーザによりリスト中の１つの項目が選択された場合に選択された項目に対応する処理済み検査データを検査報告書に挿入するように構成された入力補助ユニットとを備える装置が提供される。
【００１１】
本発明の別の実施形態によれば、検査報告書を生成する装置であって、プロセッサに動作可能に接続され、１種類以上の検査を受けた被検体に関連する検査報告書に関する入力をユーザから受信する入力ユニットと、プロセッサに接続され、現在入力されている検査報告書のコンテンツを表示する表示ユニットと、プロセッサとを備え、プロセッサは、現在入力されている検査報告書の表示されたコンテンツから１つ以上のコンテキスト特徴をリアルタイムで識別するコンテキスト特徴識別ユニットと、識別済みコンテキスト特徴のうち１つ以上のコンテキスト特徴に基づいて、被検体が受けた１種類以上の検査の結果取得された被検体に関する検査データを処理するように構成された処理ユニットと、特定ユーザ入力の検出に応じて、処理ユニットにより処理された検査データの、ユーザにより選択されるべき、項目のリストを表示ユニットに表示させ且つユーザによりリスト中の１つの項目が選択された場合に選択された項目に対応する処理済み検査データを検査報告書に挿入するように構成された入力補助ユニットを備える装置が提供される。
【００１２】
本発明の更なる実施形態によれば、検査報告書を生成する方法であって、１種類以上の検査を受けた被検体に関連する検査報告書に関する入力をユーザから受信し且つ現在入力されている検査報告書のコンテンツを表示する工程と、現在入力されている検査報告書の表示されたコンテンツから１つ以上のコンテキスト特徴をリアルタイムで識別する工程と、識別済みコンテキスト特徴のうち１つ以上のコンテキスト特徴に基づいて、被検体が受けた１種類以上の検査の結果取得された検査データを処理する工程と、特定ユーザ入力の検出に応じて、処理済み検査データのユーザにより選択されるべき項目のリストを表示する工程と、ユーザによりリスト中の１つの項目が選択された場合、選択された項目に対応する処理済み検査データを検査報告書に挿入することとを備える方法が提供される。
【００１３】
本発明の一実施形態によれば、ユーザが画像又は測定値を表示するためにユーザインタフェースを参照しながら別のユーザインタフェースを介して検査報告書を書き込む必要はなくなるだろう。更に、本発明の一実施形態によれば、ユーザが手動操作で測定結果（例えば、種々の数値）を入力する必要又は数値を計算する必要はないので、手動操作による入力に伴って起こりうる誤りを回避できる。また、本発明は、ユーザが説明のための適切な語句を考え付くのを助ける。簡単に言えば、本発明の実施形態によれば、ユーザの入力時の煩わしさが軽減される。
【００１４】
尚、本発明の実施形態は、ユーザの入力体験を向上するように検査報告書を生成する装置及び方法に関するが、診断を行うこと又はユーザの診断を補助することをまったく意味しない。更に、本発明は医療報告書の生成に適用されるのが好ましいが、種々の工業用途にも適用可能である。
【００１５】
本発明の更なる特徴及び利点は、添付の図面を参照する以下の説明から明らかになるだろう。
【図面の簡単な説明】
【００１６】
本明細書に組み込まれ且つ本明細書の一部を構成する添付の図面は、本発明の実施形態を例示し、以下の説明と共に本発明の原理を説明するのに有用である。
【図１】図１は、本発明のいくつかの実施形態を実現できるコンピュータシステムのハードウェア構成を示すブロック図である。
【図２】図２は、いくつかの測定が実行されたＸ線検査の結果取得された画像を示す図である。
【図３】図３は、本発明の一実施形態に係る検査報告書を生成する装置を例示的に示すブロック図である。
【図４】図４は、本発明の別の実施形態に係る検査報告書を生成する装置を例示的に示すブロック図である。
【図５】図５は、本発明の実施形態の一例に係る検査報告書に関するユーザ入力が表示された例示的な画面を示す図である。
【図６】図６は、特定ユーザ入力が検出されたのに応じて検査データの項目のリストが表示された状況の一例を示す図である。
【図７】図７は、ユーザがリスト中の第１の項目を選択した後の状況を示す図である。
【図８】図８は、特定ユーザ入力が検出されたのに応じて検査データの項目のリストが表示された状況の別の例を示す図である。
【図９】図９は、ユーザがリスト中の第１の項目を選択した後の状況を示す図である。
【図１０】図１０は、本発明の更に別の実施形態に係る検査報告書を生成する装置を示す図である。
【図１１】図１１は、本発明の一実施形態に係る検査報告書を生成する方法を示すフローチャートである。
【発明を実施するための形態】
【００１７】
添付の図面を参照して、以下に本発明の実施形態を詳細に説明する。
【００１８】
尚、図中、同一の図中符号及び文字は類似の項目を示すので、項目が１つの図面で定義された場合、その項目を続く図面で説明する必要はない。
【００１９】
本明細書において使用される場合の用語「検査」は、Ｘ線検査のような放射線検査、コンピュータ断層撮影（ＣＴ）、磁気共鳴撮影（ＭＲＩ）、タイプＢ超音波輝度検査モード、デジタル・サブトラクション血管造影撮影（ＤＳＡ）、心電図（ＥＣＧ）などの医療検査、並びにガンマ線検査、Ｘ線撮影検査などの工業検査を含む。更に、一般に検査により１つ以上の画像（検査画像）が取得されるが、画像は必ずしも取得されなくてもよい。
【００２０】
本明細書において使用される場合の用語「検査データ」は、例えば検査から抽出された１つ以上の画像に基づく所見及び／又は測定データなどの検査から取得された所見及び／又は測定データを含む検査に関連する種々の情報であるが、それらに限定されない。検査データは、被検体に関する情報、検査自体に関する情報などを更に含む場合もあるが、このことは、以下に図５を参照して詳細に説明される。
【００２１】
本明細書において使用される場合の用語「ユーザ入力」は、文脈上他に特定の定義が示されない限り、一般に検査報告書に入力されたユーザ入力、すなわち表示されているユーザ入力を表す。一例として、ユーザ入力は単語、語句などを含むが、それらに限定されない。
【００２２】
図１は、本発明の実施形態を実現可能なコンピュータシステム１０００のハードウェア構成を示すブロック図である。
【００２３】
図１に示されるように、コンピュータシステムはコンピュータ１１１０を備える。コンピュータ１１１０は、処理ユニット１１２０、システムメモリ１１３０、固定型不揮発性メモリインタフェース１１４０、取り外し可能不揮発性メモリインタフェース１１５０、ユーザ入力インタフェース１１６０、ネットワークインタフェース１１７０、ビデオインタフェース１１９０及び出力周辺装置インタフェース１１９５を備え、これらはシステムバス１１２１を介して接続されている。
【００２４】
システムメモリ１１３０は、ＲＯＭ（読み取り専用メモリ１１３１）及びＲＡＭ（ランダムアクセスメモリ）１１３２を備える。ＲＯＭ１１３１にはＢＩＯＳ（基本入出力システム）１１３３が常駐する。ＲＡＭ１１３２には、オペレーティングシステム１１３４、アプリケーションプログラム１１３５、他のプログラムモジュール１１３６及びいくつかのプログラムデータ１１３７が常駐する。
【００２５】
ハードディスクなどの固定型不揮発性メモリ１１４１は、固定型不揮発性メモリインタフェース１１４０に接続される。固定型不揮発性メモリ１１４１は、例えばオペレーティングシステム１１４４、アプリケーションプログラム１１４５、他のプログラムモジュール１１４６及びいくつかのプログラムデータ１１４７を記憶する。
【００２６】
フロッピー（登録商標）ドライブ１１５１及びＣＤ‐ＲＯＭドライブ１１５５などの取り外し可能不揮発性メモリは、取り外し可能不揮発性メモリインタフェース１１５０に接続される。例えば、フロッピードライブ１１５１にはフロッピーディスク１１５２を挿入可能であり、ＣＤ‐ＲＯＭドライブ１１５５にはＣＤ（コンパクトディスク）１１５６を挿入可能である。
【００２７】
マイク１１６１及びキーボード１１６２などの入力デバイスは、ユーザ入力インタフェース１１６０に接続される。
【００２８】
コンピュータ１１１０は、ネットワークインタフェース１１７０を介して遠隔コンピュータ１１８０に接続可能である。例えば、ネットワークインタフェース１１７０は、ローカルエリアネットワーク１１７１を介して遠隔コンピュータ１１８０に接続される。あるいは、ネットワークインタフェース１１７０はモデム（変復調器）１１７２に接続され、モデム１１７２は、ワイドエリアネットワーク１１７３を介して遠隔コンピュータ１１８０に接続される。
【００２９】
遠隔コンピュータ１１８０は、遠隔アプリケーションプログラム１１８５を記憶するハードディスクなどのメモリ１１８１を備える。
【００３０】
ビデオインタフェース１１９０はモニタ１１９１に接続される。
【００３１】
出力周辺装置インタフェース１１９５は、プリンタ１１９６及びスピーカ１１９７に接続される。
【００３２】
図１に示されるコンピュータシステムは単なる例であり、本発明の範囲、用途及び利用方法を限定することをまったく意図しない。
【００３３】
図１に示されるコンピュータシステムは、どの実施形態に対しても、スタンドアロンコンピュータとして実現されるか、あるいは可能であれば１つ以上の不要な構成要素を取り除くか又は１つ以上の追加構成要素を追加した上で装置の１つの処理システムとして実現されてもよい。
【００３４】
図２は、数回の測定が実行されたＸ線検査の結果取得され且つ１〜５の番号が付された画像を示す。一例として、図２の画像はＸ線写真画像として示される。図示されるように、ブロック内の番号によって示される通り、ユーザは画像に対して５種類の測定を実行した。それらの測定は、ユーザの関心に従った所見を指向する。画像から取得された測定結果を以下にまとめる。
【００３５】
【表１】
2014016990.tif 000003
【００３６】
表１に示されるように、現在５種類の測定、すなわち長さ、角度、ＣＴＲ、肋骨ラベル、楕円／円が実行されている。測定結果（例えば、数値など）、画像中の場所、測定が指向する領域／部分のようなそれらの測定の属性も収集されている。
【００３７】
尚、上記の表は収集される測定結果に関して可能な表示の単なる一例であり、測定結果は、当業者に知られているような他の種々の形態で表現されることも考えられる。
【００３８】
図３は、本発明の一実施形態に係る検査報告書を生成する装置３００のブロック図を例示的に示す。
【００３９】
装置３００は、１種類以上の検査を受けた被検体に関連する検査報告書に関する入力をユーザから受信し且つ現在入力されている検査報告書のコンテンツを表示する報告書入力ユニット３０１を含む。一実現形態において、報告書入力ユニット３０１は、キーボード、ポインティングデバイス、キーパッドなどのユーザ入力を受信する入力ユニットと、現在入力されている検査報告書のコンテンツを表示する表示ユニットとにより実現される。しかし、報告書入力ユニットは上記の実現形態に限定されず、例えば入力及び表示の双方を実行するためのタッチスクリーンを備えてもよい。
【００４０】
図５は、本発明の本実施形態の一例に係る検査報告書に関するユーザ入力が表示された例示的な画面を示す。図示されるように、検査報告書は、氏名、性別、年齢、感受性過多、識別番号（例えば、個人ＩＤ、入院患者番号、病室番号及び病床番号など）のような被検体（ここでは、例えば患者）に関する情報、検査の種類（例えば、Ｘ線、ＣＴ、ＭＲＩ、ＤＳＡなど）、検査の名称、関連する技術的特徴のような被検体が受けた検査自体に関する情報、特定の領域、部分、解剖学的構造、病理学的構造、病理学的変化などに関する情報のような検査に基づく所見などを含んでもよいが、それらに限定されない。更に、検査報告書はユーザの診断説明の一部を含んでもよい。
【００４１】
検査報告書に含まれるべき上記のコンテンツ又は情報の少なくとも一部は、ユーザにより入力される必要がある。尚、検査報告書では一般にテキスト形の説明が必要とされる。例えば、所見の詳細は、検査画像中の関心特徴ごとにテキスト／文字説明を含む必要がある。検査報告書の中に測定結果（例えば、数値）が提示される必要もあるだろう。図５に示されるように、「Ｏｎ ｔｈｅ ｆｒｏｎｔａｌ ｖｉｅｗ ｔｈｅ ｔｒａｎｓｐａｒｅｎｃｙ ｏｆ ｔｈｅ ｕｐｐｅｒ ａｎｄ ｍｉｄｄｌｅ ｆｉｅｌｄｓ ｏｆ ｔｈｅ ｒｉｂｓ」の次に、ユーザは、後に入力される事項が続いて表示される場所を示すための標識「｜」を入力している。
【００４２】
図３に戻ると、装置３００は、現在入力されている検査報告書の表示されたコンテンツから１つ以上のコンテキスト特徴をリアルタイムで識別するコンテキスト特徴識別ユニット３０３を更に含む。コンテキスト特徴識別ユニット３０３は、所定の規則に従ってコンテキスト特徴を識別する。一実施形態の例示的な一例では、ユーザ入力を所定の単語又は語句の集合（便宜上、キーワードと総称される）と比較することにより、コンテキスト特徴を識別できる。所定の単語又は語句の集合は、例えばデータバンクに含まれる。その場合、ユーザ入力が所定の１つのキーワードと一致すると、その入力はコンテキスト特徴と識別される。しかし、コンテキスト特徴を識別するための規則は上記の例に限定されない。例えば、言語特徴又は意味特徴の部分に基づいてコンテキスト特徴が識別されてもよい。例えば、コンテキスト特徴として識別可能な名詞を定義するための構文属性も、コンテキスト特徴として識別されてよい。本発明の一実施形態の一例において、識別されるコンテキスト特徴は種々の形態で、例えばテーブル（以下、コンテキスト特徴テーブルと呼ぶ）の形で記憶される。
【００４３】
一例として、コンテキスト特徴は、例えば被検体である患者の肋骨、肺、胸部、腎臓などの被検体の領域又は部分に関連するキーワード及び／又は例えば「ｒｏｕｎｄ」（これは１つの属性である）、長さ、角度などの言語特徴又は意味特徴の部分に基づいて選択された単語又は語句を含む。
【００４４】
更に、装置３００は入力補助ユニット３０５を含む。入力補助ユニット３０５は、特定ユーザ入力の検出に応じて、処理ユニット（以下に説明する）により処理された検査データのユーザにより選択されるべき項目のリストを報告書入力ユニット３０１に表示させ且つユーザによりリスト中の１つの項目が選択された場合に選択された項目に対応する処理済み検査データを検査報告書に挿入するように構成される。
【００４５】
図６及び図７を参照して、入力補助ユニット３０５の動作を更に詳細に説明する。図６は、特定ユーザ入力に応じて検査データの項目のリストが表示されている状況の一例を示し、図６の画面上にインセット６０１が示される。図７は、ユーザがリスト中の第１の項目を選択した後の状況を示す。
【００４６】
図６に示されるように、ユーザは、表示されている単語「ｒｉｂｓ」を最初に報告書に入力する。その場合、入力された単語「ｒｉｂ」又は「ｒｉｂｓ」がコンテキスト特徴識別ユニット３０３によりコンテキスト特徴であると識別されれば、特定ユーザ入力が検出されたと判定できる。そこで、入力補助ユニット３０５は、検査データの項目のリストを表示するように報告書入力ユニット３０１を制御する。尚、以下に詳細に説明するように、表示されるべき検査データの項目は既に処理ユニットにより処理済みであるのが好ましい。例えば、図６に示されるように、処理済み検査データを表示するためにウィンドウ６０１がポップアップされてもよい。尚、リストは、上記のポップアップウィンドウ以外の種々の形態で表示可能である。図６に示されるインセット（ポップアップウィンドウ）６０１の中には、図２に示される画像から取得された５項目の検査データが示される。
【００４７】
そこで、ユーザは、例えばキーボード、ポインティングデバイス（例えば、マウス）などを使用してリスト中の１つの項目を選択する。ユーザによりリスト中の１つの項目が選択された場合、例えば第１の項目である肋骨ラベル「２ ｔｏ ４」が選択された場合、図７に示されるように、選択された項目「２ ｔｏ ４」に対応する処理済み検査データが検査報告書に挿入される。
【００４８】
肋骨ラベルの挿入後、ユーザが報告書に関する入力を継続し、再び単語「ｒｉｂ」又は「ｒｉｂｓ」が入力されたと仮定する。その場合、単語「ｒｉｂ」は既に識別され、従って検査報告書に関連するコンテキスト特徴テーブルに記憶されているので、新たに入力された単語「ｒｉｂ」又は「ｒｉｂｓ」は識別済みコンテキスト特徴「ｒｉｂ」と一致する。従って、特定ユーザ入力が検出されたと再び判定できる。この場合、入力された単語をデータバンクと比較する必要がないので、性能が向上するという利点が得られるだろう。
【００４９】
すなわち、特定ユーザ入力がコンテキスト特徴として識別されるか又は識別済みコンテキストと特徴と一致する場合、特定ユーザ入力の検出を判定できるのである。
【００５０】
更に、図８に示されるように、入力補助ユニット３０５は、報告書入力ユニット３０１に処理済み検査データのリスト中の各項目に対応するサムネイルを表示させる。
【００５１】
再び図３に戻る。装置３００は、識別済みコンテキスト特徴のうち１つ以上のコンテキスト特徴に基づいて、被検体が受けた１種類以上の検査の結果取得された被検体の検査データを処理する処理ユニット３０７を更に含む。図６のインセット６０１に示されるように、被検体が受けた検査の結果取得された被検体の検査データの項目は、１つの識別済みコンテキスト特徴「ｒｉｂｓ」に基づいて並べ替えられる。本実現形態例では、肋骨ラベルは特徴「ｒｉｂｓ」と最も大きく関連している。他のいくつかの実現形態の場合、２つ以上の識別済みコンテキスト特徴に基づいて、例えば最も近い時点で識別された特徴に基づいて、項目のリストを並べ替えできる。更に別のいくつかの実現形態において、識別済みコンテキスト特徴の各々に重みが割り当てられる。この重みは、例えば点滅する標識「｜」により指示される現在の入力位置からの距離に基づいて判定される。その場合、識別済みコンテキスト特徴が現在の入力位置に近いほど、そのコンテキスト特徴の重みは大きいのが好ましい。現在の入力位置から遠く離れた識別済みコンテキストは、可能であれば省略されてもよい。
【００５２】
本実施形態の別の例において、処理ユニット３０７は、１つ以上の識別済みコンテキスト特徴に基づいて検査データの項目をフィルタリングしてもよい。例えば、いくつかの最も関連性の大きい項目はリストに挿入されるが、その他の項目はフィルタリングされる。すなわち、リストには示されない。
【００５３】
本実施形態の更なる例では、処理ユニット３０７は、検査データに含まれる種々の種類の数値に対して計算及び／又は変換を実行する。例えば、処理ユニット３０７は、領域の面積を計算する、数値を変換する（例えば、直径から半径に変換する）などの動作を実行できる。
【００５４】
本発明のいくつかの実施形態によれば、装置３００は、検査データを提供する検査デバイス（図示せず）を更に備える。一実施形態において、検査データを提供する検査デバイスは、画像保存通信システム（ＰＡＣＳ）又はその端末装置であってもよい。別の実施形態では、検査データを提供する検査デバイスは、所定のフォーマットで、例えば関連技術で一般に使用されているＤＡＴＡＣＯＭフォーマットで検査データを記憶するメモリデバイスである。
【００５５】
本発明のいくつかの実施形態によれば、本発明は、病院情報システム、特に放射線科情報システム（ＲＩＳ）／画像保存通信システム（ＰＡＣＳ）に適用可能である。
【００５６】
図４、図８及び図９を参照して、以下に本発明の別の実施形態を説明する。
【００５７】
図４は、本発明の別の実施形態に係る検査報告書を生成する装置４００のブロック図を例示的に示す。装置４００は、報告書入力ユニット３０１、コンテキスト特徴識別ユニット３０３、入力補助ユニット３０５及び処理ユニット４０７を含む。図４の装置４００は、処理ユニット４０７を除いて図３の装置３００と同一であるので、装置３００の構成要素と同一である構成要素は同一の図中符号で示され、それらの構成要素の説明は省略される。
【００５８】
本実施形態に係る処理ユニット４０７は、検査データの項目を分類する分類ユニット４０９と、前記分類ユニットからの分類結果を参照して検査データの各項目を識別済みコンテキスト特徴のうち１つ以上のコンテキスト特徴とマッチングし且つマッチング結果に基づいて検査データの項目を並べ替え且つ／又はフィルタリングするコンテキストマッチングユニット４１１とを備える。
【００５９】
図８及び図９を参照して、処理ユニット４０７の動作を詳細に説明する。図８は、特定ユーザ入力「ｒｏｕｎｄ」が検出されたのに応じて検査データの項目のリストが表示された状況を示す。図９は、リスト中の第１の項目がユーザにより選択された後の状況を示す。
【００６０】
図４に示されるように、分類ユニット４０９は、以下に示す属性のうちいずれかに基づいて検査データの項目を分類する。
【００６１】
氏名、性別、年齢、識別番号（例えば、個人ＩＤ、入院患者番号、病棟番号及び病床番号など）のような被検体の属性
検査の種類（例えば、Ｘ線、ＣＴ、ＭＲＩ、ＰＥＴ（陽電子放射断層撮影）など）、検査の名称及び／又は目的、画像角度、他の関連技術特徴のような検査の属性、及び
特定の領域、部分、解剖学的構造、病理学的構造、病理学的変化、組織代謝活動などに関する情報のような検査から取得された所見及び／又は測定結果の属性。
【００６２】
本発明の一実施形態において、検査データの項目を分類する場合、分類ユニット４０９は、その項目が分類される先の１つ以上のカテゴリを識別するように、検査データのその項目に１つ以上のタグを適用する。
【００６３】
例えば、図２に示される５番目の項目、すなわち丸く不透明な塊状の病変を示すための円に対して、円のような形状タグ、肋骨又は胸部などの人体部分タグなどによってその項目が分類又はタグ付けされてもよい。検査データの項目は同様にして分類される。分類の基準は、必要に応じて任意に選択される。
【００６４】
一例として、図８に示されるように、単語「ｒｏｕｎｄ」が入力される。単語「ｒｏｕｎｄ」は、コンテキスト特徴識別ユニット３０３によりコンテキスト特徴として識別されると想定される。コンテキストマッチングユニット４１１は、分類ユニット４０９からの分類結果を参照して、例えばタグを参照して、検査データの各項目（例えば、図２及び表１に示されるような５つの項目）を識別済みコンテキスト特徴のうち１つ以上のコンテキスト特徴とマッチングする。尚、本発明のいくつかの実施形態において、識別済みコンテキスト特徴のうちの前記１つ以上のコンテキスト特徴は、最も近い時点で識別されたコンテキスト特徴であってもよい。他の実施形態では、１つ以上のコンテキスト特徴は異なる基準に従って選択されてもよく、例えば最も頻繁に識別又は入力されるコンテキスト特徴であってもよい。本発明は、いずれかの特定の実施形態に限定されるべきではない。
【００６５】
例えば、コンテキストマッチングユニット４１１は、項目をマッチングする場合、分類結果を参照して検査データの項目にスコアを与える（すなわち、項目ごとにマッチングスコアを評価する）。
【００６６】
次に、コンテキストマッチングユニット４１１は、マッチング結果に基づいて検査データの項目に対して並べ替え／フィルタリングを実行する。例えば、表示されるべき項目は、その項目のスコアに基づいて並べ替えられ又は配列され、最高のスコアを有する項目が第１の候補としてリスト中に表示され、２番目に高いスコアを有する項目は第２の候補として表示される。以降、同様にスコアに従って項目は表示される。
【００６７】
詳細には、図８の例で言えば、前述のように、図２及び表１に示される「１９７２ｍｍ２」に対応する５番目の項目が分類され且つ円のような形状タグ、肋骨又は胸部のような人体部分タグなどによってタグ付けされる。一般に、単語「ｒｏｕｎｄ」は、意味の上ではタグ「ｃｉｒｃｌｅ」と関連している可能性が高い。また、単語「ｒｏｕｎｄ」は、タグ「ｌｅｎｇｔｈ」、例えば直径又は半径にも関連する。意味論的特徴（例えば、意味）に基づくこれらの所定の規則に従って、識別済みコンテキスト特徴「ｒｏｕｎｄ」とのマッチングを実行した場合、表１で挙げられている５つの項目すべての中で、項目「１９７２ｍｍ２」（表１の５番目の項目）は「ｃｉｒｃｌｅ」のタグを付されており、従ってコンテキスト特徴「ｒｏｕｎｄ」との関連性が最も高いので、この項目は最高のスコアで評価され、その結果、第１の候補として表示される。これに対し、コンテキスト特徴「ｒｏｕｎｄ」とマッチングした場合、図２及び表１の「５８ｍｍ」に対応する１番目の項目は「ｌｅｎｇｔｈ」のタグを付されており、コンテキスト特徴「ｒｏｕｎｄ」との関連性は２番目に高いので、コンテキスト特徴「ｒｏｕｎｄ」とマッチングした場合、この項目は２番目に高いスコアで評価され、第２の候補として表示される。図２及び表１のその他の項目は、コンテキスト特徴「ｒｏｕｎｄ」とマッチングした場合に更に低いスコアで評価され、第３〜第５の候補として表示される。１つのポップアップウィンドウの中に表示しきれないほど検査データの項目の数が多い場合、それらの項目は複数ページに分けて表示される。
【００６８】
本発明のいくつかの実施形態において、図４に示されるように、処理ユニット４０７はテキスト表現生成ユニット４１３を任意に備える。テキスト表現生成ユニット４１３は、識別済みコンテキスト特徴のうち１つ以上のコンテキスト特徴（例えば、最も近い時点で識別されたコンテキスト特徴）に基づいて、検査データの１つの項目に対して１つ以上のテキスト表現を処理済み検査データとして生成する。
【００６９】
図８に示されるように、リストに挙げられた項目に対応するテキスト表現もインセット８０１（例えば、ウィンドウを表す）に表示される。例えば、１９７２ｍｍ２の円（図２及び表１に示される５番目の項目）の面積から５０ｍｍの直径が自動的に計算される。この場合、それに応じて、この項目に対してテキスト表現「５０ｍｍ ｄｉａｍｅｔｅｒ」が生成される。リスト中の第１の候補が選択される場合、テキスト表現「５０ｍｍ ｄｉａｍｅｔｅｒ」は検査報告書に挿入されるべきである。本実施形態の一実現形態によれば、テキスト表現は所定の構文規則に従って生成される。本実施形態の例では、テキスト表現生成ユニット４１３は、単語「ｒｏｕｎｄ」の直前にある数個の単語又は語句の言語の各部分を検査又は収集し、次に、ユーザ入力「ｒｏｕｎｄ」と、その単語「ｒｏｕｎｄ」の直前の単語又は語句との関係に基づいてテキスト表現を生成する。例えば、図９に示されるように、リスト中の第１の候補に対応するテキスト表現「５０ｍｍ ｄｉａｍｅｔｅｒ」は、所定の構文規則に準拠するように、検査報告書の中の単語「ｒｏｕｎｄ」の前に挿入される。別の例として、「ｒｏｕｎｄ」がコンテキスト特徴として識別されているにもかかわらず、ユーザが図８に示されるようにリスト中の項目を選択せず、単語「ｒｏｕｎｄ」の後に「ｏｐａｑｕｅ ｍａｓｓ ｌｅｓｉｏｎ」を入力し続けたと想定する。単語「ｌｅｓｉｏｎ」がコンテキスト特徴として識別される又は以前に識別されたことがあると想定すると、処理ユニット４０７は、２つの識別済みコンテキスト特徴「ｒｏｕｎｄ」及び「ｌｅｓｉｏｎ」に基づいて検査データの項目を並べ替える。その場合、テキスト表現生成ユニット４１３は、例えば表現「ｒｏｕｎｄ ｏｐａｑｕｅ ｍａｓｓ ｌｅｓｉｏｎ」の各単語の言語の各部分に基づいて、テキスト表現「ｗｉｔｈ ａ ｄｉａｍｅｔｅｒ ｏｆ ５０ｍｍ」を生成する。
【００７０】
尚、これに付随して、テキスト処理ユニットを図３の実施形態と容易に組み合わせることができる。
【００７１】
本発明のいくつかの実施形態によれば、特定ユーザ入力の検出がユーザにより設定されてもよい。一実施形態において、例えばユーザがいくつかの所定のキー又はボタン、あるいはユーザが設定したキー又はボタンを押下し且つ／又は放した場合に特定ユーザ入力の検出が開始されることが考えられる。しかし、検出開始の形式はこれに限定されず、例えば、ユーザの所定の操作により検出が開始されてもよい。
【００７２】
例えば、ユーザは、「Ｆ１２」などのキーを押下し且つ放すことにより上記の検出及び／又は識別を有効化又は無効化してもよい。あるいは、ユーザは、キー「ＳＰＡＣＥ」を押下し且つ放すことにより検出を開始してもよい。別の例では、ユーザは、例えば「Ｆ２」のようなキーを押下し且つ放すことにより、現在入力中の単語を強制的にコンテキスト特徴として識別させる。種々の構成があり、ユーザ又は設計者により構成を自在に設定可能である。
【００７３】
更に、本発明の実施形態において、現在のユーザ入力がコンテキスト特徴として識別された場合、特定ユーザ入力が検出されたと判定できる。
【００７４】
図１０は、本発明の更に別の実施形態に係る検査報告書を生成する装置１０００を示す。装置１０００は、プロセッサ１００５と、プロセッサに動作可能に接続され、１種類以上の検査を受けた被検体に関連する検査報告書に関する入力をユーザから受信する入力ユニット１００１と、プロセッサに接続され、現在入力されている検査報告書のコンテンツを表示する表示ユニット１００３とを備える。プロセッサ１００５は、現在入力されている検査報告書の表示されたコンテンツから１つ以上のコンテキスト特徴をリアルタイムで識別するコンテキスト特徴識別ユニット１００７と、識別済みコンテキスト特徴のうち１つ以上のコンテキスト特徴に基づいて、被検体が受けた１種類以上の検査の結果取得された被検体に関する検査データを処理する処理ユニット１００９と、特定ユーザ入力の検出に応じて、前記処理ユニットにより処理された検査データのユーザにより選択されるべき項目のリストを報告書入力ユニットに表示させ且つユーザによりリスト中の１つの項目が選択された場合に選択された項目に対応する処理済み検査データを検査報告書に挿入するように構成された入力補助ユニット１０１１とを備える。
【００７５】
図１１は、本発明の一実施形態に係る検査報告書を生成する方法を示すフローチャートである。
【００７６】
ステップＳ１１０１において、１種類以上の検査を受けた被検体に関連する検査報告書に関するユーザからの入力が受信され、且つ現在入力されている検査報告書のコンテンツが表示される。
【００７７】
ステップＳ１１０３において、現在入力されている検査報告書の表示されたコンテンツから１つ以上のコンテキスト特徴がリアルタイムで識別される。
【００７８】
ステップＳ１１０５において、識別済みコンテキスト特徴のうち１つ以上のコンテキスト特徴に基づいて、被検体が受けた１種類以上の検査の結果取得された被検体に関する検査データが処理される。
【００７９】
ステップＳ１１０７において、特定ユーザ入力の検出に応じて、処理済み検査データのユーザにより選択されるべき項目のリストが表示される。
【００８０】
ステップＳ１１０９において、ユーザによりリスト中の１つの項目が選択された場合、選択された項目に対応する処理済み検査データが検査報告書に挿入される。
【００８１】
本実施形態の一例では、方法は、検査デバイスから検査データを提供することを更に備える。
【００８２】
本実施形態の一例では、検査データを処理するステップＳ１１０５は、検査データの項目を並べ替え且つ／又はフィルタリングすること及び／又は検査データに含まれる種々の種類の数値を計算し且つ／又は変換することを含む。
【００８３】
本実施形態の一例では、検査データを処理するステップＳ１１０５は、検査データの項目を分類することと、前記分類からの分類結果に基づいて、検査データの各項目を識別済みコンテキスト特徴のうち１つ以上のコンテキスト特徴とマッチングすることと、マッチング結果に基づいて、検査データの項目を並べ替え且つ／又はフィルタリングすることとを含む。
【００８４】
本実施形態の一例では、検査データを処理するステップＳ１１０５は、識別済みコンテキスト特徴のうち１つ以上のコンテキスト特徴に基づいて、検査データの１つの項目に対して１つ以上のテキスト表現を処理済み検査データとして生成することを含む。
【００８５】
本発明の本実施形態において、識別済みコンテキスト特徴のうち前記１つ以上のコンテキスト特徴は、最も近い時点で識別されたコンテキスト特徴であってもよいが、本発明はそれに限定されない。
【００８６】
本発明の他の実施形態によれば、検査報告書を生成する装置は、図２に示されるように、項目のリストに従って所見及び／又は測定結果を画像上で選択的に強調表示するハイライトユニット（図示せず）を更に備える。画像上で所見及び／又は測定結果が強調表示されることにより、ユーザは、複数の検査結果の中から目立って表示された検査データに焦点を合わせることができる。
【００８７】
特定の一実現形態において、図６又は図８に示されるような項目に対応し且つリストの中で優先順位が高い項目の所定の数の所見又は測定結果のみが強調表示される。例えば、リストの上から３つの項目に対応する所見及び／又は検査結果が図２に示されるような画像で強調表示される。別の場合には、先に説明したように、リスト中の項目はスコアによって一列にランク付けされる。その場合、高いほうから３つのスコアを有するリスト中の項目に対応する所見及び／又は測定結果が強調表示される。本明細書において使用される場合の用語「優先順位」は、関連項目の順番、ランク、スコアなどを含むが、それらに限定されない。
【００８８】
別の実現形態において、所見及び／又は測定結果は、その優先順位に応じて、それぞれ異なる方法で強調表示される。例えば、リスト中で最高の優先順位を有する測定結果は赤色で強調表示され、それより低い（例えば、２番目及び３番目の）優先順位を有する測定結果は黄色で表示され、それ以下の順位の測定結果は灰色で表示される。このような強調表示によって、ユーザは、検査データから項目の優先順位を認識できる。強調表示のモードは、例えばユーザの設定に従って変更可能である。
【００８９】
リストがポップアップウィンドウに表示された時点で強調表示が自動的に調整される構成も考えられる。例えば、図２に示されるすべての検査データは通常モード（すなわち、強調表示されずに）表示されるが、その後、リスト中に項目が表示されるタイミングで、優先順位の高い項目は強調表示される。従って、ユーザは、優先順位の高い項目を確認できると同時に、他の項目との関係も確認できる。
【００９０】
別の実現形態では、図２ですべての検査データは通常モードで示されるが、その後、リスト中に項目が表示される時点で、優先順位の高い項目は強調表示され、他の項目は表示されないか又は優先順位の高い項目ほど明瞭に表示されない。これにより、ユーザは、多数の検査結果の中から目立って表示された検査データに焦点を合わせることができる。
【００９１】
尚、用語「強調表示」及びそれを変形させた語句は、１つのオブジェクトが他のオブジェクトより強い関心を引くようにそのオブジェクトを他のオブジェクトとは異なる形式で表示することを表すので、オブジェクトを強調表示する方法として、例えば色の相違、形状の相違、パターンの相違などの種々の方法を採用できるが、本発明はそれらの方法に限定されない。
【００９２】
また、ユーザの報告書データ入力が所定の時間まで停止した場合、例えば数秒間遅れた場合、以前は検査報告書に含まれていなかった検査データが強調表示を伴って／伴わずに画像上に表示されることも考えられる。
【００９３】
別の実現形態では、ユーザの報告書データ入力が所定の時間まで停止した場合、例えば数秒間遅れた場合、以前は検査報告書に含まれていなかったリストを強調表示を伴って／伴わずに表示できる。このような実現形態により、ユーザは検査報告書中の入力漏れをチェックできる。
【００９４】
図６又は図８に示されるような項目に関する検査情報に加えて又はその代わりに、リスト中の項目に関連する種々の情報を選択的に表示することも考えられる。例えば、ユーザの便宜又は利用を考慮して参照値を示すように、項目、例えばいくつかの優先順位の高い項目（例えば、リストの上から３つ又は５つの項目）に関連する比較のための標準値を追加表示できる。別の例では、以前の検査から現在の検査までの変化を示すように、１つの項目に関連する以前の検査データをリスト中に示すことも可能である。ユーザにより１つの項目が選択された場合、それらの種々の情報も報告書に挿入される。
【００９５】
先の図６〜図８の実施形態は、リスト中に短い語句、数値などが表示され、その後、報告書に挿入されるものとして説明されたが、リスト中の項目のうち１つの項目の選択に従って検査報告書に入力するのに適すると考えられる候補文が更に表示されてもよい。例えば、リスト中の１つの項目が選択されたのに応じて、手動操作で文の入力を繰り返す必要なく、ユーザがその項目に関連する一連の候補文から１つの文を選択できるように、候補文が表示される。
【００９６】
他のいくつかの実施形態において、本発明の装置は、報告書入力ユニットに動作可能に接続され且つ１つ以上のディスプレイに動作可能に接続されるビデオインタフェースを更に含む。それらの実施形態のうちいくつかでは、ビデオインタフェースは表示ユニットに含まれてもよい。ディスプレイのうち１つは、現在入力されている検査報告書のコンテンツを表示するように構成される。別のディスプレイは、１つ以上の画像並びにそれらの画像から取得された所見及び／又は検査結果を表示するように構成される。他の関連情報、検査履歴中の画像、症例情報などを表示する第３のディスプレイが使用されてもよい。
【００９７】
尚、本発明に係る方法のステップは１つのステップとして統合されてもよいが、方法の１つのステップがいくつかの個別のステップに分割されてもよい。また、ステップは、先に説明したような順序で実行される必要はない。すなわち、いくつかのステップは同時に実行されてもよく、更に、ステップは逆の順序で実行されてもよい。
【００９８】
以上の説明から理解されるように、被検体は患者であってもよく、検査報告書は、その患者に関する医療報告書であってもよく、検査は、画像を取り出すための患者に対する何らかの検査であってもよい。更に、被検体の領域に関連するキーワードは、患者の身体領域に関連するキーワードであってもよく、また、被検体の部分に関連するキーワードは、患者の解剖学的構造又は病理学的構造に関連するキーワードであってもよい。
【００９９】
更に、本発明の実施形態は、本発明の趣旨及び精神から逸脱せずに互いに自由に組み合わされることが可能である。
【０１００】
本発明の方法及び装置は多くの方法で実現可能である。例えば、本発明の方法及び装置は、ソフトウェア、ハードウェア、ファームウェア又はそれらの組み合わせによって実現可能である。先に説明した方法のステップの実行順序は単に例示を目的として挙げられており、特に指示のない限り、本発明の方法のステップは、先に特定して説明した順序に限定されない。いくつかの実施形態において、本発明は、本発明に係る方法を実現するための機械可読命令を含めて、記録媒体に記録されたプログラムとして実現されてもよい。従って、本発明は、本発明に係る方法を実現するためのプログラムを記憶する記録媒体をも含む。
【０１０１】
本発明のいくつかの特定の実施形態を例によって詳細に説明したが、上記の例は単に例示を意図しており、本発明の範囲を限定することを意図しないことは当業者により理解されるべきである。本発明の範囲及び趣旨から逸脱することなく上述の実施形態を変形できることは当業者により理解されるべきである。本発明の範囲は、添付の特許請求の範囲により定義される。
【図１】
2014016990.tif 000004
【図２】
2014016990.tif 000005
【図３】
2014016990.tif 000006
【図４】
2014016990.tif 000007
【図５】
2014016990.tif 000008
【図６】
2014016990.tif 000009
【図７】
2014016990.tif 000010
【図８】
2014016990.tif 000011
【図９】
2014016990.tif 000012
【図１０】
2014016990.tif 000013
【図１１】
2014016990.tif 000014
【外国語明細書】
2014016990000001.pdf